【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
被検眼の視神経乳頭部を含んだ第１の眼底撮影画像から前記視神経乳頭部のディスクラインとカップラインを決定し，該決定された前記ディスクライン及びカップラインにより第１のＣ／Ｄ比を所要の経線方向に対して求めるための第１Ｃ／Ｄ比取得手段と、
前記被検眼の視神経乳頭部を含んだ第２の眼底撮影画像から前記視神経乳頭部のディスクラインとカップラインを決定し，該決定された前記ディスクライン及びカップラインにより前記第１のＣ／Ｄ比の経時変化である第２のＣ／Ｄ比を前記第１のＣ／Ｄ比と同じ経線方向に対して求めるための第２Ｃ／Ｄ比取得手段と、
前記第１Ｃ／Ｄ比取得手段で取得された前記第１のＣ／Ｄ比と前記第２のＣ／Ｄ比取得手段で取得された前記第２のＣ／Ｄ比が重畳して表示されるモニタと、
前記モニタの表示制御をする表示制御手段と、
を備えることを特徴とする眼底画像処理装置。
【請求項２】
請求項１の眼底画像処理装置において、
前記表示制御手段は、前記第１眼底画像及び前記第２眼底撮影画像の少なくとも一方と、前記第１Ｃ／Ｄ比及び前記第２Ｃ／Ｄ比を前記モニタの同一画面上に表示させることを特徴とする眼底画像処理装置。
【請求項３】
請求項１〜２のいずれかの眼底画像処理装置において、
前記表示制御手段は、前記第１Ｃ／Ｄ比取得手段及び第２Ｃ／Ｄ比取得手段で求めた第１Ｃ／Ｄ比及び第２Ｃ／Ｄ比を重畳して前記モニタにグラフ表示させることを特徴とする眼底画像処理装置。
【請求項４】
請求項３の眼底画像処理装置は、
前記第１Ｃ／Ｄ比取得手段にて決定される前記ディスクラインを記憶する記憶手段とを備え、
前記第２Ｃ／Ｄ比取得手段は、前記記憶手段に記憶された前記ディスクラインを呼び出し前記第２眼底撮影画像上における視神経乳頭部のディスクラインとして決定することを特徴とする眼底画像処理装置。
【請求項５】
請求項４の眼底画像処理装置において、
前記第１Ｃ／Ｄ比取得手段は、前記第１のＣ／Ｄ比を経線方向に対して３６０°分求め、前記第２Ｃ／Ｄ比取得手段は、前記第２のＣ／Ｄ比を経線方向に対して３６０°分求め、
前記表示制御手段は、前記第１のＣ／Ｄ比及び前記第２のＣ／Ｄ比を３６０°の経線方向で重畳して前記モニタに表示させることを特徴とする眼底画像処理装置。
【請求項６】
被検眼の視神経乳頭部を含んだ第１の眼底撮影画像から前記視神経乳頭部のディスクラインとカップラインを決定し，該決定された前記ディスクライン及びカップラインにより第１のＣ／Ｄ比を所要の経線方向に対して求める第１ステップと、前記被検眼の視神経乳頭部を含んだ第２の眼底撮影画像から前記視神経乳頭部のディスクラインとカップラインを決定して，該決定された前記ディスクライン及びカップラインにより前記第１のＣ／Ｄ比の経時変化である第２のＣ／Ｄ比を，前記第１のＣ／Ｄ比と同じ経線方向に対して求める第２ステップと、前記第１ステップ及び第２ステップで求めた第１Ｃ／Ｄ比及び第２Ｃ／Ｄ比を重畳してモニタに表示させる第３ステップと、を有することを特徴とする眼底画像処理方法。
【請求項７】
請求項６の眼底画像処理方法において、
前記第１Ｃ／Ｄ比を前記経線方向に対して３６０°分求める前記第１ステップと、前記第２Ｃ／Ｄ比を前記経線方向に対して３６０°分求める前記第２ステップと、横軸が０°〜３６０°，縦軸がＣ／Ｄ比値で前記モニタに表示されるグラフに，３６０°分の前記第１Ｃ／Ｄ比及び前記第２Ｃ／Ｄ比を重畳して曲線表示させる前記第３ステップと、を有することを特徴とする眼底画像処理方法。
【請求項８】
請求項７の眼底画像処理方法において、
前記第３ステップで表示される第１Ｃ／Ｄ比及び第２Ｃ／Ｄ比を示す曲線は、各々異なる線色，または線種で表示されることを特徴とする眼底画像処理方法。
【請求項９】
請求項８の眼底画像処理方法において、前記第２ステップにて決定される前記ディスクラインは前記第１ステップにて決定されたディスクラインを同一形状にてコピーすることにより決定されることを特徴とする眼底画像処理方法。
【請求項１０】
請求項９の眼底画像処理方法において、前記第１ステップにて決定される前記ディスクラインは前記第１眼底撮影画像における視神経乳頭部のディスク縁をポインティングデバイスを用いて指定し，指定されたポイントをスプライン曲線により結ぶことにより決定され、前記第２ステップにて決定されるディスクラインは前記第１眼底撮影画像及び第２眼底撮影画像における視神経乳頭部のディスク縁上の少なくとも４つの同じ特徴点を指定することにより前記第１ステップにて決定されるディスクラインを前記コピーにより前記第２眼底撮影画像上のディスク縁に対応付けることを特徴とする眼底画像処理方法。
【請求項１１】
請求項１０の眼底画像処理方法において、前記第２ステップは指定される前記第１眼底撮影画像及び第２眼底撮影画像における視神経乳頭部のディスク縁上の少なくとも４つの同じ指定点情報に基づいて、前記第２眼底撮影画像全体の倍率、及び回転補正を行うことを特徴とする眼底画像処理方法。
【手続補正２】
【補正対象書類名】明細書
【補正対象項目名】０００７
【補正方法】変更
【補正の内容】
【０００７】
（１）  被検眼の視神経乳頭部を含んだ第１の眼底撮影画像から前記視神経乳頭部のディスクラインとカップラインを決定し，該決定された前記ディスクライン及びカップラインにより第１のＣ／Ｄ比を所要の経線方向に対して求めるための第１Ｃ／Ｄ比取得手段と、前記被検眼の視神経乳頭部を含んだ第２の眼底撮影画像から前記視神経乳頭部のディスクラインとカップラインを決定し，該決定された前記ディスクライン及びカップラインにより前記第１のＣ／Ｄ比の経時変化である第２のＣ／Ｄ比を前記第１のＣ／Ｄ比と同じ経線方向に対して求めるための第２Ｃ／Ｄ比取得手段と、前記第１Ｃ／Ｄ比取得手段で取得された前記第１のＣ／Ｄ比と前記第２のＣ／Ｄ比取得手段で取得された前記第２のＣ／Ｄ比が重畳して表示されるモニタと、前記モニタの表示制御をする表示制御手段と、を備えることを特徴とする。
（２）  （１）の眼底画像処理装置において、前記表示制御手段は、前記第１眼底画像及び前記第２眼底撮影画像の少なくとも一方と、前記第１Ｃ／Ｄ比及び前記第２Ｃ／Ｄ比を前記モニタの同一画面上に表示させることを特徴とする。
（３）  （１）〜（２）のいずれかの眼底画像処理装置において、前記表示制御手段は、前記第１Ｃ／Ｄ比取得手段及び第２Ｃ／Ｄ比取得手段で求めた第１Ｃ／Ｄ比及び第２Ｃ／Ｄ比を重畳して前記モニタにグラフ表示させることを特徴とする。
（４）  （３）の眼底画像処理装置は、前記第１Ｃ／Ｄ比取得手段にて決定される前記ディスクラインを記憶する記憶手段とを備え、前記第２Ｃ／Ｄ比取得手段は、前記記憶手段に記憶された前記ディスクラインを呼び出し前記第２眼底撮影画像上における視神経乳頭部のディスクラインとして決定することを特徴とする。
（５）  （４）の眼底画像処理装置において、前記第１Ｃ／Ｄ比取得手段は、前記第１のＣ／Ｄ比を経線方向に対して３６０°分求め、前記第２Ｃ／Ｄ比取得手段は、前記第２のＣ／Ｄ比を経線方向に対して３６０°分求め、前記表示制御手段は、前記第１のＣ／Ｄ比及び前記第２のＣ／Ｄ比を３６０°の経線方向で重畳して前記モニタに表示させることを特徴とする。
（６）  被検眼の視神経乳頭部を含んだ第１の眼底撮影画像から前記視神経乳頭部のディスクラインとカップラインを決定し，該決定された前記ディスクライン及びカップラインにより第１のＣ／Ｄ比を所要の経線方向に対して求める第１ステップと、前記被検眼の視神経乳頭部を含んだ第２の眼底撮影画像から前記視神経乳頭部のディスクラインとカップラインを決定して，該決定された前記ディスクライン及びカップラインにより前記第１のＣ／Ｄ比の経時変化である第２のＣ／Ｄ比を，前記第１のＣ／Ｄ比と同じ経線方向に対して求める第２ステップと、前記第１ステップ及び第２ステップで求めた第１Ｃ／Ｄ比及び第２Ｃ／Ｄ比を重畳してモニタに表示させる第３ステップと、を有することを特徴とする眼底画像処理方法。
（７）  （６）の眼底画像処理方法において、前記第１Ｃ／Ｄ比を前記経線方向に対して３６０°分求める前記第１ステップと、前記第２Ｃ／Ｄ比を前記経線方向に対して３６０°分求める前記第２ステップと、横軸が０°〜３６０°，縦軸がＣ／Ｄ比値で前記モニタに表示されるグラフに，３６０°分の前記第１Ｃ／Ｄ比及び前記第２Ｃ／Ｄ比を重畳して曲線表示させる前記第３ステップと、を有することを特徴とする。
（８）  （７）の眼底画像処理方法において、前記第３ステップで表示される第１Ｃ／Ｄ比及び第２Ｃ／Ｄ比を示す曲線は、各々異なる線色，または線種で表示されることを特徴とする。
（９）  （８）の眼底画像処理方法において、前記第２ステップにて決定される前記ディスクラインは前記第１ステップにて決定されたディスクラインを同一形状にてコピーすることにより決定されることを特徴とする。
（１０）  （９）の眼底画像処理方法において、前記第１ステップにて決定される前記ディスクラインは前記第１眼底撮影画像における視神経乳頭部のディスク縁をポインティングデバイスを用いて指定し，指定されたポイントをスプライン曲線により結ぶことにより決定され、前記第２ステップにて決定されるディスクラインは前記第１眼底撮影画像及び第２眼底撮影画像における視神経乳頭部のディスク縁上の少なくとも４つの同じ特徴点を指定することにより前記第１ステップにて決定されるディスクラインを前記コピーにより前記第２眼底撮影画像上のディスク縁に対応付けることを特徴とする。
（１１）  （１０）の眼底画像処理方法において、前記第２ステップは指定される前記第１眼底撮影画像及び第２眼底撮影画像における視神経乳頭部のディスク縁上の少なくとも４つの同じ指定点情報に基づいて、前記第２眼底撮影画像全体の倍率、及び回転補正を行うことを特徴とする。